(57)【要約】【課題】イベント会場の座席を予約する際、その座席からイベントの写真を撮影した場合の、写真の出来具合を予測して座席を予約することができる。【解決手段】ネットワークを介して管理サーバと接続されたコンピュータ端末を用いて座席の予約を行う座席予約方法において、前記コンピュータ端末から入力されたカメラ機種情報に基づいて、前記管理サーバが、座席位置に対応する撮影画像を、該撮影画像中の人物サイズを複数段階に分けたシミュレーション画像として作成して、前記コンピュータ端末に表示し、前記表示されたシミュレーション画像に対して、前記コンピュータ端末から入力された前記人物サイズの範囲に対し、前記管理サーバが、前記人物サイズの範囲に対応する空席エリアを前記コンピュータ端末に表示する。【選択図】図１
2004280643.tif 000002
【特許請求の範囲】
【請求項１】
ネットワークを介して管理サーバと接続されたコンピュータ端末を用いて座席の予約を行う座席予約方法であって、
前記コンピュータ端末から入力されたカメラ機種情報に基づいて、
前記管理サーバが、座席位置に対応する撮影画像を、該撮影画像中の人物サイズを複数段階に分けたシミュレーション画像として作成して、前記コンピュータ端末に表示し、
前記表示されたシミュレーション画像に対して、前記コンピュータ端末から入力された前記人物サイズの範囲に対し、
前記管理サーバが、前記人物サイズの範囲に対応する空席エリアを前記コンピュータ端末に表示することを特徴とする座席予約方法。
【請求項２】
ネットワークを介して管理サーバと接続されたコンピュータ端末を用いて座席の予約を行う座席予約方法であって、
前記管理サーバが、座席の空き状況を前記コンピュータ端末に表示し、
前記表示された空き座席に基づいて前記コンピュータ端末から入力された座席位置およびカメラ機種情報に基づいて、前記管理サーバが、前記入力された座席位置に対応する撮影画像のシミュレーション画像を作成して、前記コンピュータ端末に表示することを特徴とする座席予約方法。
【請求項３】
前記シミュレーション画像は、管理サーバが座席予約の顧客情報から作成した、実際の込み具合を示す人物モデルのシミュレーション画像である請求項１または２に記載の座席予約方法。
【発明の詳細な説明】
【０００１】
【発明の属する技術分野】
本発明は、あるイベント会場における座席を予約するための座席予約方法に係り、特に、その座席から写真を撮影した場合に、どのような写真が撮影できるか確認しながら座席の予約ができる座席予約方法に関する。
【０００２】
【従来の技術】
従来は、イベント会場での座席を予約する場合、印刷された座席表を見ながらその場で予約したり、あるいは電話で予約したりしていた。しかし、これでは、その座席から実際にそのイベントが行われているステージ等がどのように見えるかがわからないため、会場の３次元画像を生成し、空席情報と会場見取り図とともに希望座席からの景観を表示する座席予約端末（例えば、特許文献１参照）や、座席からステージや出演者がどの様に見えるか、またその座席の詳細情報を提供して座席予約や座席確認が容易にできるようにした座席予約システム（例えば、特許文献２）等が提案されていた。
【０００３】
【特許文献１】
特開平０５−３２４６８９号公報
【特許文献２】
特開２００２−１０９３３６号公報
【０００４】
【発明が解決しようとする課題】
しかしながら、上記特許文献に記載された座席予約端末あるいは座席予約システムは、いずれも座席からのステージの見え方をシミュレーション画像で表示するものであり、例えばその座席からステージを撮影した場合に出演者がどの様に写るかを示すものではなく、写真撮影が可能なイベントであっても、実際に予約した座席から写真を撮影した場合に、思ったような写真が撮れない場合もあるという問題がある。
【０００５】
そこで、写真撮影が可能なイベント会場の場合には、やはり、その座席から写真を撮影した場合に、どのように写るかを知った上で座席の予約ができることが望まれる。
特に、野球のようなスポーツ観戦においては、スタジアムのどの位置の座席にすわるかによって見え方も写真の写り方も全く異なったものになってしまうため、座席予約時に、その座席から選手を撮影した場合の写真の写り具合がわかることが重要な要素となる。
【０００６】
本発明は、前記従来の問題に鑑みてなされたものであり、イベント会場の座席を予約する際、その座席からイベントの写真を撮影した場合の、写真の出来具合を予測して座席を予約することのできる座席予約方法を提供することを課題とする。
【０００７】
【課題を解決するための手段】
前記課題を解決するために、本発明の第１の態様は、ネットワークを介して管理サーバと接続されたコンピュータ端末を用いて座席の予約を行う座席予約方法であって、前記コンピュータ端末から入力されたカメラ機種情報に基づいて、前記管理サーバが、座席位置に対応する撮影画像を、該撮影画像中の人物サイズを複数段階に分けたシミュレーション画像として作成して、前記コンピュータ端末に表示し、前記表示されたシミュレーション画像に対して、前記コンピュータ端末から入力された前記人物サイズの範囲に対し、前記管理サーバが、前記人物サイズの範囲に対応する空席エリアを前記コンピュータ端末に表示することを特徴とする座席予約方法を提供する。
【０００８】
また同様に前記課題を解決するために、本発明の第２の態様は、ネットワークを介して管理サーバと接続されたコンピュータ端末を用いて座席の予約を行う座席予約方法であって、前記管理サーバが、座席の空き状況を前記コンピュータ端末に表示し、前記表示された空き座席に基づいて前記コンピュータ端末から入力された座席位置およびカメラ機種情報に基づいて、前記管理サーバが、前記入力された座席位置に対応する撮影画像のシミュレーション画像を作成して、前記コンピュータ端末に表示することを特徴とする座席予約方法を提供する。
【０００９】
また、前記シミュレーション画像は、管理サーバが座席予約の顧客情報から作成した、実際の込み具合を示す人物モデルのシミュレーション画像であることが好ましい。
【００１０】
【発明の実施の形態】
以下、本発明の座席予約方法について、添付の図面に示される好適実施形態を基に詳細に説明する。
【００１１】
図１は、本発明に係る座席予約方法を実施する座席予約システムの概略を示すブロック図である。
図１に示すように、この座席予約システムは、顧客のパソコン１０とイベント主催者の管理サーバ１２とがインターネット等のコンピュータネットワーク１４を介して接続されている。管理サーバ１２は、イベント会場の３次元構造を示す座席データが記録された座席データベース１６を有している。また、ネットワーク１４には、各カメラメーカ別のカメラ機種情報のデータを記録したカメラデータのデータベース１８も接続されている。
また、顧客のパソコン１０には、撮影画像のシミュレーション画像を表示するためのディスプレイ２０が接続され、コンピュータ端末を構成している。
【００１２】
本発明の座席予約方法は、その座席から撮影した写真の出来具合を確認しながら座席を予約するものであり、その適用対象は、イベント会場内で写真撮影が可能であれば、特に限定はされないが、以下では、スポーツ会場での座席予約、特に、野球観戦における座席予約を例にとって説明することとする。
【００１３】
まず、本発明の第１実施形態について説明する。
図２は、第１実施形態に係る座席予約方法の処理の流れを示すフローチャートである。
以下、図２のフローチャートに沿って説明する。
【００１４】
まず、図２のステップ１００において、顧客はパソコン１０から野球の試合が行われるスタジアムで使用するカメラの機種を入力する。カメラ機種はネットワーク１４を通じて主催者の管理サーバ１２に送られる。
次に、ステップ１１０において、管理サーバ１２は、カメラ機種を受け取ると、ネットワーク１４を介して、カメラデータのデータベース１８にアクセスしてそのカメラのデータを取得する。ここで、カメラデータはデータベース１８に記録されていることは必須ではなく、可能であれば、管理サーバ１２のメモリに保持するようにしてもよい。その場合には、カメラデータは、管理サーバ１２のメモリから呼び出すようにすればよい。
【００１５】
次に、ステップ１２０において、管理サーバ１２は、カメラデータに基づいて、スタジアムの複数の各座席から（選手がいるものとして）グラウンドを撮影したとすると撮れるであろう撮影画像のシミュレーション画像を、ズーム倍率を変えたとして、その撮影画像における人物のサイズを複数段階に分けて作成する。このシミュレーション画像は、各座席からの見え方をまずＣＧ（コンピュータグラフィックス）で作成する。もちろん、メモリ容量が充分あれば、予め各座席から撮影した実写画像データをメモリに記録しておいて、それを用いてもよい。実写画像データを用いる場合は、すべての座席からの画像は必要ではなく、スタジアムの座席全体を、見え方がほとんど同じになる座席はまとめていくつかのブロックに分けて各ブロックから代表となる１つの座席を選び、その座席からの撮影画像を用いればよい。
【００１６】
その画像に選手の画像をＣＧで作成して合成する。このとき、カメラ機種情報から取得したカメラデータのズーム性能の情報により、１つの座席位置に対し、ズーム倍率を最小から最大とした場合の撮影画像のシミュレーション画像を複数作成する。
作成されたシミュレーション画像は、ネットワーク１４を介して顧客のパソコン１０に送信される。シミュレーション画像を受信した顧客のパソコン１０は、シミュレーション画像をディスプレイ２０に表示する。
【００１７】
次に、ステップ１３０において、顧客はディスプレイ２０に表示されたシミュレーション画像を見て、撮影画像中の人物のサイズの許容し得る範囲をパソコン１０から指定する。
すると管理サーバ１２は、指定された人物サイズの範囲の撮影画像を撮影できる空席エリアを選び出し、ネットワーク１４を介してパソコン１０に送信する。パソコン１０は、この空席エリアをディスプレイ２０に表示する。
最後にステップ１５０において、顧客はこの空席エリアの表示を見て、座席予約を行う。
【００１８】
なお、空席エリアの表示においては、各座席にはその料金を表示し、また、予約にあたっては、料金の支払い方法およびチケットの受け渡し方法を指定できるようにすることが好ましい。
このように本実施形態によれば、どのような撮影画像を撮れるかということを中心として、そのような撮影画像を撮るためには、どの座席でなければならないかという基準で座席の予約を行うようにしているため、スタジアムで野球観戦しながら満足の行く写真を撮影することが可能となる。
【００１９】
次に、本発明の第２実施形態について説明する。
本第２実施形態は、第１実施形態とは逆に、座席の指定を先に行い、そこからはどのような撮影画像が撮れるかを見ながら、試行錯誤的に予約する座席を決めて行くものである。
図３に、第２実施形態の座席予約方法の処理の流れをフローチャートで示し、以下このフローチャートに沿って説明する。
【００２０】
まず、図３のステップ２００において、顧客がパソコン１０から管理サーバ１２に問い合わせることにより、ディスプレイ２０に空席状況が表示される。
次に、顧客は、ステップ２１０において、パソコン１０からカメラ機種を入力し、ステップ２２０において、ディスプレイ２０に表示されている空席の中から座席を指定する。
【００２１】
次に、ステップ２３０において、管理サーバ１２は、顧客が入力したカメラ機種を基にカメラデータのデータベース１８にアクセスしてカメラデータを取得し、カメラデータと座席位置とから第１実施形態と同様にして、その座席から撮影した撮影画像のシミュレーション画像を作成し、ディスプレイ２０に表示する。ステップ２４０において、顧客はディスプレイ２０に表示されたシミュレーション画像を見て、その人物サイズでよいかどうか判断する。その人物サイズの撮影画像では満足いかない場合には、ステップ２２０にもどり再度座席を指定して入力する。
そして、満足の行く人物サイズの撮影画像が得られるまでこの操作を繰り返し、最終的に満足の行く撮影画像が得られたら、ステップ２５０で座席の予約を行う。
【００２２】
このように、本実施形態によれば、複数の空き座席でのシミュレーションを行い、写真の出来具合を予測して、最終的に満足した座席を選ぶことができる。
なお、以上の実施形態においては、カメラによる撮影を主目的として座席予約を行ったが、カメラの代わりに双眼鏡による見え方を確認しながら座席予約を行う場合としても同様である。
【００２３】
以上説明した例は、野球観戦の場合であったが、本発明はこのようなスポーツのチケットの予約に限定されるものではない。例えば、演劇やショーあるいはその他のイベントの場合でも、写真撮影が許可されている場合には、本発明によって満足の行く写真の撮れる座席を確認しながら予約することができる。
また、写真撮影ができない場合でも、前述したように、双眼鏡による見え方をシミュレーションしながら、よく見える座席を予約することができる。
【００２４】
また、本発明の他の適用例として、その座席の周囲の人物のシミュレーションを行い、会場の実際の込み具合を表示して、それを参考にしながら座席予約を行うことが考えられる。
この場合には、必ずしも写真撮影は必要としないが、その座席の周囲に実際に他の観客がいる場合の撮影画像のシミュレーションを行うようにしてもよい。
【００２５】
すなわち、座席予約を行う各顧客から情報を取得して、例えば性別、年齢から身長、特に座った場合の身長範囲（座高）を推定し、人物モデルの高さを変えたシミュレーション画像を作成する。これにより、すぐ前に座高の高い人物がいて、実際には、前述した第１あるいは第２実施形態で推定したような撮影画像が撮影できないおそれがあるということもわかり、そのような場合には他の座席を選ぶようにすることができる。また、座席周囲の込み具合もわかり実際の会場の雰囲気を参考にして座席予約を行うことができる。
また、この場合の人物モデルによるシミュレーション画像の作成は、被写体人物のプライバシーの問題もありＣＧによって画像を作成するものとする。
【００２６】
また、以上は指定席の場合であったが、予約席でない場合や立ち見の場合には、込み具合を知ることはより重要である。この場合には、現場を実写した画像から人物認識を行い人数を推定し、これをもとにしてＣＧで人物モデルを作成してシミュレーションを行うとよい。
また、販売されたチケットの数から入場者数がわかるので、これから人数の密度を推定して、人物モデルでのＣＧによるシミュレーション画像を作成するようにしてもよい。
【００２７】
以上、本発明の座席予約方法について、詳細に説明したが、本発明は、以上の実施形態に限定されるものではなく、本発明の要旨を逸脱しない範囲において、各種の改良や変更を行ってもよいのはもちろんである。
【００２８】
【発明の効果】
以上、説明した通り、本発明によれば、イベント会場の座席を予約する際、その座席からイベントの写真を撮影した場合の、写真の写り具合を予測した撮影画像が表示されるので、その撮影画像を確認して座席を予約することができる。
【図面の簡単な説明】
【図１】本発明に係る座席予約方法を実施する座席予約システムの概略を示すブロック図である。
【図２】第１実施形態に係る座席予約方法の処理の流れを示すフローチャートである。
【図３】第２実施形態に係る座席予約方法の処理の流れを示すフローチャートである。
【符号の説明】
１０  顧客のパソコン
１２  主催者の管理サーバ
１４  ネットワーク
１６  座席データベース
１８  カメラデータのデータベース
２０  ディスプレイ
【図１】
2004280643.tif 000003
【図２】
2004280643.tif 000004
【図３】
2004280643.tif 000005